(57)【要約】【課題】本発明の目的は対物レンズの加熱を抑制する対物レンズ駆動装置およびそれを備えた光ピックアップ装置を提供する。【解決手段】本発明では、対物レンズ２６Ａとレンズホルダ３４との間に間隙部６４Ａを設けることで対物レンズ２６Ａの温度上昇を抑制している。具体的には、レンズホルダ３４の上面を部分的に突起させて支持部６６Ａを設け、対物レンズ２６Ａのフランジ部９４に支持部６６Ａを当接させることで、間隙部６４Ａを設けている。これにより、駆動コイルが発熱することによりレンズホルダ３４の温度が上昇したとしても、対物レンズ２６Ａへの熱の伝導が抑制され、対物レンズ２６Ａが低温に保たれて光学特性の劣化が抑止される。【選択図】図４
2014089788.tif 000002
【特許請求の範囲】
【請求項１】
対物レンズと、
前記対物レンズが固定されるレンズホルダと、
一端が前記レンズホルダに接続され、他端が支持基板に接続される複数の支持ワイヤと、を具備し、
前記対物レンズと前記レンズホルダとの間に、前記対物レンズの下方の空間と外部とを連通させる間隙部が形成されることを特徴とする対物レンズ駆動装置。
【請求項２】
前記対物レンズは、レーザー光が通過するレンズ部と、前記レンズ部を取り囲むフランジ部とを有し、
前記フランジ部の少なくとも２箇所が前記レンズホルダに接着されることを特徴とする請求項１に記載の対物レンズ駆動装置。
【請求項３】
前記間隙部は、前記レンズホルダに設けた凸状の支持部に前記対物レンズを固着することにより形成されることを特徴とする請求項１または請求項２に記載の対物レンズ駆動装置。
【請求項４】
前記間隙部は、前記対物レンズに設けた凸状の支持部を前記レンズホルダに固着することにより形成されることを特徴とする請求項１または請求項２に記載の対物レンズ駆動装置。
【請求項５】
前記レンズホルダには複数の前記対物レンズが搭載されることを特徴とする請求項１から請求項４の何れかに記載の対物レンズ駆動装置。
【請求項６】
前記対物レンズと前記レンズホルダとの間には、光ディスクが回転することにより生じる風が前記間隙部を通過する気流路が形成され、
前記気流路の方向は前記支持ワイヤが伸びる方向に沿うことを特徴とする請求項１から請求項５の何れかに記載の対物レンズ駆動装置。
【請求項７】
請求項１から請求項６の何れかに記載された対物レンズ駆動装置をハウジングに搭載したことを特徴とする光ピックアップ装置。
【発明の詳細な説明】
【技術分野】
【０００１】
本発明は対物レンズ駆動装置およびそれを備えた光ピックアップ装置に関し、特に、レンズホルダに備えられる対物レンズの過熱を防止する機構を有する対物レンズ駆動装置およびそれを備えた光ピックアップ装置に関する。
【背景技術】
【０００２】
光ピックアップ装置から照射されるレーザー光を、光ディスクの信号記録層に照射することによって、信号の読み出し動作や信号の記録動作を行う光ディスク装置が普及している。
【０００３】
この光ディスク装置では、光ディスクの径方向に沿って移動する光ピックアップ装置を用いて、光ディスクに対する情報の読み書きが行われる。具体的には、光ピックアップ装置に内蔵されるレーザーダイオードから所定の波長のレーザー光が放射され、対物レンズによりこのレーザー光が光ディスクの情報記録層に合焦される。この情報記録層で反射した戻り光のレーザー光が受光素子で受光されることで、光ディスクに記録された情報の読出しが行われる。
【０００４】
更に、受光素子で得られた情報を基に対物レンズの位置を調整するサーボ動作が行われている。具体的には、対物レンズホルダには、フォーカスコイル、トラッキングコイル等の駆動コイルが備えられており、この駆動コイルに電流を供給することでレンズホルダのフォーカス方向、トラッキング方向およびチルト方向に対する位置調整が行われている。
【０００５】
しかしながら、使用状況下にて駆動コイルから発生した熱が対物レンズに伝導し、これにより対物レンズの光学特性が劣化する問題が発生していた。具体的には、表面にキズ等が発生している低品質な光ディスクに対して、情報の読み書きを行う場合、レンズホルダを頻繁にフォーカス方向に対して変位させる必要があるので、フォーカスコイルに供給される電流量が多くなり、上記した問題が発生する。また、一つのレンズホルダに複数の規格に対応する対物レンズが搭載された場合、ＣＤ規格のレーザー光を照射する場合と、ＢＤ規格のレーザー光を照射する場合とでは、光ディスクの表面と対物レンズとの距離が異なるので、連続してフォーカスコイルに電流を流してレンズホルダを所定の位置に固定する必要がある。これにより、上記した問題が発生していた。
【０００６】
この様な光ピックアップ装置に内蔵された光学部品の過熱を抑制する方法として、光ピックアップ装置に風を送り込む方法が考えられる。下記特許文献１では、図２および〔００４６〕等を参照して、開口部２０ａ付近のカバーに長孔２０ｂを設けている。これにより、ディスクの回転により発生する風を、この長孔２０ｂを経由して光ピックアップ装置に導き、光ピックアップ装置の過熱を抑制する事項が開示されている。
【先行技術文献】
【特許文献】
【０００７】
【特許文献１】特開２００８−９７６６２号公報
【発明の概要】
【発明が解決しようとする課題】
【０００８】
上記した特許文献１では、光ディスク装置の特定の部分に孔部を設け、この孔部を通過した風を光ピックアップ装置に当てることにより、光ピックアップ装置を全体的に冷却する事項が開示されている。
【０００９】
しかしながら、かかる技術では、光ピックアップ装置を局所的に冷却することは出来ないので、上記したように光ピックアップ装置が備える対物レンズが加熱された場合、この対物レンズを効率的に冷却することは困難である。
【００１０】
また、レンズホルダに複数のレンズが固着される機種では、レンズホルダ全体の重量が重くなるので、レンズホルダを変位させるために各コイルに流れる電流が大きくなる。よって、各コイルから多量の熱が発せられ、上記した対物レンズの光学的特性が劣化する問題が顕著と成る。
【００１１】
本発明は上記した課題を鑑みて成され、本発明の目的は、対物レンズの加熱を抑制する対物レンズ駆動装置およびそれを備えた光ピックアップ装置を提供することにある。
【課題を解決するための手段】
【００１２】
本発明の対物レンズ駆動装置は、対物レンズと、前記対物レンズが固定されるレンズホルダと、一端が前記レンズホルダに接続され、他端が支持基板に接続される複数の支持ワイヤと、を具備し、前記対物レンズと前記レンズホルダとの間に、前記対物レンズの下方の空間と外部とを連通させる間隙部が形成されることを特徴とする。
【発明の効果】
【００１３】
本発明では、対物レンズとレンズホルダとの間に間隙部を形成している。よって、レンズホルダに備えられたコイルが発熱したとしても、レンズホルダを経由して対物レンズに伝導する熱量が制限されるので、対物レンズの温度上昇が抑制される。
【図面の簡単な説明】
【００１４】
【図１】本発明の光ピックアップ装置を示す図であり、（Ａ）は光ピックアップ支持装置を示す斜視図であり、（Ｂ）は光ピックアップ装置に内蔵される光学系を示す図である。
【図２】本発明の対物レンズ駆動装置に組み込まれるレンズホルダを示す図である。
【図３】本発明の対物レンズ駆動装置に組み込まれるレンズホルダを示す図であり、（Ａ）は斜視図であり、（Ｂ）は平面図である。
【図４】本発明の対物レンズ駆動装置に組み込まれるレンズホルダを示す図であり、（Ａ）は対物レンズを示す平面図であり、（Ｂ）はレンズホルダを示す断面図である。
【図５】本発明の対物レンズ駆動装置に組み込まれるレンズホルダを示す図であり、（Ａ）は対物レンズを示す平面図であり、（Ｂ）はレンズホルダを示す断面図である。
【図６】本発明のレンズ駆動装置を示す図であり、（Ａ）は光ディスクとレンズ駆動装置とを示す平面図であり、（Ｂ）はレンズホルダの部分を示す平面図である。
【発明を実施するための形態】
【００１５】
図１を参照して、本形態の光ピックアップ装置の構成を説明する。図１（Ａ）は光ピックアップ装置２２を示す斜視図であり、図１（Ｂ）は光ピックアップ装置２２に内蔵される光学系を示す図である。
【００１６】
図１（Ａ）を参照して、光ピックアップ装置２２では、ハウジング２４にレンズ駆動装置６２等の各種素子が備えられている。ハウジング２４の紙面上右側の端部には、ガイド軸が挿通される挿通部３６が設けられ、左側端部には他のガイド軸が係合される係合部３８が設けられる。使用状況下では、光ピックアップ装置２２は、これらのガイド軸に沿って移動する。
【００１７】
レンズ駆動装置６２はハウジング２４に内蔵されており、対物レンズ２６を保持するレンズホルダ３４が支持ワイヤ２８を介して変位可能な状態で支持基板３０に支持されている。本形態では、レンズホルダ３４の上面には２つの対物レンズ２６が配置されているが、上記した３つの規格のレーザー光に対応する１つの対物レンズ２６が配置されても良い。
【００１８】
図１（Ｂ）を参照して、上記した光ピックアップ装置２２に組み込まれる光学系について説明する。
【００１９】
光ピックアップ装置２２に内蔵される光学素子としては、レーザー装置４０、４４、回折格子４２、４６、光路合成プリズム４８、ハーフミラー５４、１／４波長板５５、コリメータレンズ５６、立ち上げミラー５８、６０、対物レンズ２６Ａ、２６Ｂ、アナモレンズ５２及び光検出器５０が採用される。
【００２０】
レーザー装置４０は、ＤＶＤ規格の波長（赤色波長帯６４５ｎｍ〜６７５ｎｍ（例えば、６５５ｎｍ））のレーザー光及びＣＤ規格の波長（赤外波長帯７６５ｎｍ〜８０５ｎｍ（例えば、７８５ｎｍ））のレーザー光を出射する。
【００２１】
そして、レーザー装置４０から出射されたレーザー光は、回折格子４２にて０次光、＋１次回折光、−１次回折光に分離し、プリズム４８を通過する。
【００２２】
レーザー装置４４は、ＢＤ規格の波長（青紫色（青色）波長帯４００ｎｍ〜４２０ｎｍ（例えば４０５ｎｍ））のレーザー光を出射する。尚、レーザー装置４４は、ＣＡＮタイプ型のパッケージの場合でも良く、リードフレーム型のパッケージの場合でも良い。これは、レーザー装置４０についても同様である。
【００２３】
そして、レーザー装置４４から出射されたレーザー光は、回折格子４６にて０次光、＋１次回折光、−１次回折光に分離し、光路合成プリズム４８の偏光面にて反射する。
【００２４】
図示したように、レーザー装置４０、４４から出射されたレーザー光は、プリズム４８を通過した後は共通の光路上を進む。具体的には、それぞれのレーザー光は、ハーフミラー５４にて反射した後、１／４波長板５５及びコリメータレンズ５６を通過する。そして、ＤＶＤ規格及びＣＤ規格のレーザー光は、立ち上げミラー５８にて反射し、対物レンズ２６Ａにて光ディスク２０の情報記録層に集光される。一方、ＢＤ規格のレーザー光は、立ち上げミラー５８を通過し、立ち上げミラー６０にて反射し、対物レンズ２６Ｂにて光ディスク２０の情報記録層に集光される。
【００２５】
次に、光ディスク２０から反射したＤＶＤ規格及びＣＤ規格のレーザー光は、対物レンズ２６Ａを通過し、立ち上げミラー５８にて反射する。一方、光ディスク２０から反射したＢＤ規格のレーザー光は、対物レンズ２６Ｂを通過し、立ち上げミラー６０にて反射し、立ち上げミラー５８を通過する。その後、それぞれのレーザー光は、コリメータレンズ５６、１／４波長板５５、ハーフミラー５４及びアナモレンズ５２を通過した後、光検出器５０へと入射する。そして、光検出器５０にて検出された光信号に基づいて、フォーカス制御、トラッキング制御及びラジアルチルト制御が行われる。
【００２６】
図２を参照して、レンズ駆動装置６２を説明する。
【００２７】
レンズホルダ３４は、上面に２つの対物レンズ２６Ａ、２６Ｂが備えられている。複数の対物レンズが配置されることによりレンズホルダ３４が重くなると、各駆動コイルに供給される電流が大きくなるので、駆動コイルが加熱され易くなる。よって、この熱により対物レンズ２６Ａ、２６Ｂも温度上昇して光学的に劣化する恐れが有る。本形態では、対物レンズ２６Ａとレンズホルダ３４との間に間隙部６４Ａを設けている。同様に、対物レンズ２６Ｂとレンズホルダ３４との間にも間隙部６４Ｂを設けている。間隙部６４Ａ等を設けることにより、対物レンズ２６Ａ等の下方の空間と外部とが連通されて風が通過し、対物レンズ２６Ａ等の加熱が抑止される利点がある。この点については、図３等を参照して後述する。
【００２８】
レンズホルダ３４の紙面上で左右方向に対向する側辺には、３本づつ支持ワイヤ２８が架設されている。各支持ワイヤ２８の一端はレンズホルダの側壁に固着され、他端は支持基板３０（図１（Ａ）参照）に固定される。これにより、レンズホルダ３４は空中状態で機械的に支持される。更に、支持ワイヤ２８は、レンズホルダ３４に備えられる各コイルに供給される電流が流れる接続手段としても機能している。
【００２９】
レンズホルダ３４の紙面上にて上下方向に対向する側壁の外側には駆動コイルが備えられている。具体的には、紙面にて上側のレンズホルダ３４の側壁外側には、左側から、フォーカスコイル７２、トラッキングコイル８０およびフォーカスコイル７４が配置されている。また、紙面にて下側のレンズホルダ３４の側壁外側には、左側から、フォーカスコイル７６、トラッキングコイル８２およびフォーカスコイル７８が配置されている。これらの各コイルは、レンズホルダ３４の側壁外側に設けられたボビンに対して、紙面上にて縦方向（Ｄｔ方向）に巻回軸を有するようにエナメル線を巻回して形成されている。ここで、フォーカスコイル７４は、レンズホルダ３４に内蔵されても良い。
【００３０】
また、各コイルに面するようにマグネットが配置されている。具体的には、フォーカスコイル７２、トラッキングコイル８０及びフォーカスコイル７４に面するように、マグネット８８が配置されておいる。また、フォーカスコイル７６、トラッキングコイル８２およびフォーカスコイル７８に面するように、マグネット９０が配置されている。マグネット８８はアクチュエータフレームを部分的に曲折させたバックヨーク８４に接着されており、マグネット９０もバックヨーク８６に接着されている。
【００３１】
マグネット８８、９０の、各コイルに対向する面は同一の極性（例えばＮ極）である。また、各マグネット８８、９０は、各トラッキングコイル８０、８２の有効領域に対して有効磁束を発生させる。この様な構成でトラッキングコイル８０、８２に電流を供給すると、トラッキングコイル８０、８２に電流が流れることで発生する磁界と、マグネット８８、９０で生成される磁界で形成される磁気回路との協働により、レンズホルダ３４はＤｒ方向に変位する。
【００３２】
更に、マグネット８８、９０は、フォーカスコイル７２−７８の有効領域に対しても有効磁束を発生させている。従って、フォーカスコイル７２−７８に対して電流を供給すると、フォーカスコイル７２−７８に電流が流れることで発生する磁界と、マグネット８８、９０で生成される磁界で形成される磁気回路との協働により、レンズホルダ３４はＤｆ方向に変位する。尚、本形態では、フォーカスコイル７２−７８に、チルト方向に対する制御を行うための制御信号を付与することで、レンズホルダ３４をチルト方向（Ｄｒｔ方向）に制御している。
【００３３】
図３を参照して、上記した対物レンズ駆動装置に備えられるレンズホルダ３４を説明する。図３（Ａ）はレンズホルダ３４を示す斜視図であり、図３（Ｂ）はレンズホルダ３４を上方から見た平面図である。
【００３４】
図３（Ａ）を参照して、レンズホルダ３４は下方に開口を有する箱型形状を呈し、側壁に各種駆動コイルを備え、上面に２つの対物レンズ２６Ａ、２６Ｂが固着されている。レンズホルダ３４は、対物レンズ２６Ａ等が装着される主面部３４Ａと、主面部３４Ａの周辺部から下方に一体的に連続する４つの側壁とを備えている。この側壁としては、紙面上で右側の長手方向の第１側壁３４Ｂ、第１側壁３４Ｂに対向する第２側壁３４Ｃ、紙面上で奥側に設けられた短手方向の第３側壁３４Ｄ、および第３側壁３４Ｄに対向する第４側壁３４Ｅが含まれている。第１側壁３４Ｂおよび第２側壁３４Ｃの主面はＤｒ方向に対して平行であり、第３側壁３４Ｄおよび第４側壁３４Ｅの主面はＤｔ方向に対して平行である。また、図２を参照して説明したように、本形態では、第１側壁３４Ｂおよび第２側壁３４Ｃの外面に各トラッキングコイルおよびフォーカスコイルが配置されている。
【００３５】
図３（Ａ）を参照して、本形態では、レンズホルダ３４の主面部３４Ａと対物レンズ２６Ａとの間に、間隙部６４Ａを設けている。間隙部６４Ａは、レンズホルダ３４または対物レンズ２６Ａの一部を厚み方向（Ｄｆ方向）に突出させることにより設けられ、間隙部６４Ａを経由して対物レンズ２６Ａの下方の空間と外部とが連通する。間隙部６４Ａの具体的形状は図４を参照して説明する。同様に、対物レンズ２６Ｂの下方にも間隙部６４Ｂが設けられる。
【００３６】
図３（Ｂ）を参照して、上記した間隙部６４Ａは、対物レンズ２６Ａの紙面上に於ける上端部および下端部（Ｄｔ方向に於ける両端部）に設けられる。これにより、紙面上にて対物レンズ２６Ａの下端に設けた間隙部６４Ａから侵入した空気が上端に設けた間隙部６４Ａから外部に抜け、これにより対物レンズ２６Ａが冷却される。この事項は、対物レンズ２６Ｂに関しても同様であり、図６を参照して後述する。
【００３７】
図４を参照して、レンズホルダ３４に設けられる間隙部について更に説明する。図４（Ａ）は対物レンズを示す平面図であり、図４（Ｂ）は対物レンズが備えられた部分のレンズホルダ３４の断面図である。
【００３８】
図４（Ａ）を参照して、対物レンズ２６Ａは中央部付近のレンズ部９２と、このレンズ部９２を囲むフランジ部９４から成る。レンズ部９２は入射したレーザー光を所定の箇所に合焦させる部位であり、所定の曲面形状を有する。フランジ部９４は、レンズ部９２の周囲と一体化して外側に広がる部位であり、対物レンズ２６Ａをレンズホルダ３４に固着する際には、フランジ部９４がレンズホルダ３４に接触する。
【００３９】
本形態では、上記構成の対物レンズ２６Ａをレンズホルダ３４に設けた支持部６６Ａで支持することにより、対物レンズ２６Ａとレンズホルダ３４との間に上記した間隙部を設けている。
【００４０】
具体的には、図４（Ｂ）を参照して、対物レンズ２６Ａが載置される部分のレンズホルダ３４の上面を部分的に除去して開口部６８Ａが設けられている。開口部６８Ａは使用状況下にてレーザー光が通過するための孔部である。本形態では、レンズホルダ３４の上面で開口部６８Ａを囲む領域を部分的に上方に突出させることで、複数個の支持部６６Ａを形成している。
【００４１】
そして、支持部６６Ａの上端に、対物レンズ２６Ａのフランジ部９４が接着剤を介して固着されることで、対物レンズ２６Ａがレンズホルダ３４に固着される。また、支持部６６Ａは、開口部６８Ａの周辺に離散的に設けられているため、対物レンズ２６Ａのフランジ部９４の下方に於いて支持部６６Ａが形成されない部分には、間隙部６４Ａが形成される。図４（Ａ）を参照すると、対物レンズ２６Ａのフランジ部９４に対して、円周方向に沿って等間隔に３つの支持部６６Ａが設けられている。三点支持を行う３つの支持部６６Ａにより、フランジ部９４が安定して支持される。ここで、支持部６６Ａの個数は３つよりも多くても少なくても良いが、対物レンズ２６Ａを安定して支持するためには２つ以上が必要である。
【００４２】
上記事項は対物レンズ２６Ｂに関しても同様である。即ち、対物レンズ２６Ｂはレンズ部９６とフランジ部９８から成り、対物レンズ２６Ｂに対応した箇所のレンズホルダ３４には開口部６８Ｂが設けられている。更に、開口部６８Ｂの周辺部には支持部６６Ｂが設けられており、この支持部６６Ｂの上端が対物レンズ２６Ｂのフランジ部９８の下面に接着することで間隙部６４Ｂが形成されている。
【００４３】
図４（Ｂ）を参照して、上記のように対物レンズ２６Ａの下方に間隙部６４Ａを設けることにより、使用状況下にてレンズホルダ３４に備えられたコイルが発熱したとしても、この発熱に伴う対物レンズ２６Ａの加熱を抑制して、光学的特性の劣化が抑止される。
【００４４】
具体的には、レンズホルダ３４に備えられた駆動コイルに電流が流される事により、駆動コイルは発熱する。駆動コイルから発生した熱はレンズホルダ３４の側壁および主面部を経由して対物レンズ２６Ａ側に移動する。よって、そのままの状態では、対物レンズ２６Ａに熱が伝導することで、対物レンズ２６Ａの温度が上昇して変形してしまい、光学特性が劣化してしまう。また、レンズホルダ３４と対物レンズ２６Ａとでは材料が異なり、温度上昇に伴う膨張量も相違するので、温度上昇により両者の接合部にストレスが作用し、接合部から対物レンズ２６Ａが剥離してしまう恐れが有る。
【００４５】
本形態では、図４（Ｂ）を参照して、この様な問題を防止するために対物レンズ２６Ａを支持部６６Ａにより離散的に支持し、対物レンズ２６Ａとレンズホルダ３４との間に間隙部６４Ａを設けている。これにより、先ず、対物レンズ２６Ａとレンズホルダ３４とが接触する面積が狭くなるので、レンズホルダ３４から対物レンズ２６Ａへの熱の伝導が少なくなり、対物レンズ２６Ａの温度上昇が抑制される。
【００４６】
更に、間隙部６４Ａを経由して外部から流入した空気が対物レンズ２６Ａの下面に接触するので、この空気により対物レンズ２６Ａが冷却され、対物レンズ２６Ａの温度上昇が抑制される。この効果は、平面視で対物レンズ２６Ａの対向する位置に間隙部６４Ａを設けることにより、空気がスムーズに対物レンズ２６Ａの下面に沿って流れるように成るので、大きくなる。
【００４７】
更にまた、温度上昇に伴い、レンズホルダ３４と対物レンズ２６Ａとで膨張量が異なったとしても、離散的に配置された支持部６６Ａが変形することにより熱ストレスが吸収されるので、対物レンズ２６Ａが接合箇所から剥離することが防止される。
【００４８】
図５を参照して、上記した支持部の構成に関して他の形態を説明する。図５（Ａ）および図５（Ｂ）は他の形態のレンズホルダ３４を示す図である。
【００４９】
この図を参照して、ここでは、対物レンズ２６Ａのフランジ部９４を部分的に下方に突出させることで支持部６６Ａを形成している。即ち、図５（Ａ）を参照して、対物レンズ２６Ａのフランジ部９４に３つのフランジ部９４が設けられている。このフランジ部９４は、図５（Ｂ）に示すように、フランジ部９４から下方に一体的に突出し、下端部分が接着剤を介してレンズホルダ３４の上面に固着されている。これにより、対物レンズ２６Ａのレンズ部９２の下方に、所定の間隙部６４Ａが形成される。
【００５０】
このような構成は、対物レンズ２６Ｂに関しても同様であり、フランジ部９８から下方に突出する支持部６６Ｂを設け、この支持部６６Ｂがレンズホルダ３４の上面に接着されることでレンズ部９６の下方に間隙部６４Ｂが形成される。
【００５１】
ここで、上記した支持部６６Ｂの形状は変更することも可能である。例えば、図５（Ｂ）を参照して、支持部６６Ａを、対物レンズ２６Ａのフランジ部９４から下方に突出する突起部と、レンズホルダ３４の上面から上方に突出する突起部の両方から構成しても良い。
【００５２】
図６を参照して、上記した構成のレンズ駆動装置と光ディスク２０との関連を説明する。図６（Ａ）は光ディスクとレンズ駆動装置とを示す平面図であり、図６（Ｂ）はレンズホルダを示す平面図である。
【００５３】
図６（Ａ）を参照して、使用状況下では光ディスク２０は時計回りに所定の速度で回転し、レンズ駆動装置６２からは所定の波長のレーザー光が光ディスク２０の情報記録層に対して照射される。また、光ディスク２０が回転することにより、その下方の領域で、光ディスク２０の回転方向と同一の方向の風が発生する。この図では、風の向きを白抜きの矢印にて示している。
【００５４】
図６（Ｂ）を参照して、本形態では、上記した風で対物レンズ２６Ａ等を冷却している。具体的には、光ディスク２０が回転することにより発生する風は、紙面上にて下方から上方（Ｄｔ方向）に向かって進行する。また、紙面上における対物レンズ２６の上端および下端の対応する領域に間隙部６４Ａが設けられている。換言すると、風の進行方向と、複数の間隙部６４Ａとは、共にＤｔ方向に沿っている。
【００５５】
よって、上記した風は、対物レンズ２６Ａの紙面上の下部に設けられた間隙部６４Ａからレンズホルダ３４の内部に進入し、対物レンズ２６Ａを冷却した後に、対物レンズ２６Ａの上部に設けられた間隙部６４Ａを経由して外部に放出される。このような気流路を形成する。よって、本形態では、光ディスク２０が回転することにより生じた風を用いて対物レンズ２６Ａを効率的に冷却することができる。この事項は対物レンズ２６Ｂに関しても同様であり、紙面上にて下方に配置された間隙部６４Ｂから流入した風が対物レンズ２６Ｂを冷却した後に、上方に配置された間隙部６４Ｂから外部に抜ける。
【００５６】
更に、間隙部６４Ａを通過する風の進行方向は、支持ワイヤ２８が伸びる方向と一致しており、共に紙面上で縦方向（Ｄｔ方向）である。従って、レンズホルダ３４がこの風の影響を受けたとしても、レンズホルダ３４は支持ワイヤ２８でＤｔ方向に固定されているので、レンズホルダ３４は殆ど風の影響では移動しない。
【符号の説明】
【００５７】
２０   光ディスク
２２   光ピックアップ装置
２４   ハウジング
２６，２６Ａ，２６Ｂ 対物レンズ
２８   支持ワイヤ
３０   支持基板
３４   レンズホルダ
３４Ａ 主面部
３４Ｂ 第１側壁
３４Ｃ 第２側壁
３４Ｄ 第３側壁
３４Ｅ 第４側壁
３６   挿通部
３８   係合部
４０   レーザー装置
４２   回折格子
４４   レーザー装置
４６   回折格子
４８   プリズム
５０   光検出器
５２   アナモレンズ
５４   ハーフミラー
５５   １／４波長板
５６   コリメータレンズ
５８   立ち上げミラー
６０   立ち上げミラー
６２   レンズ駆動装置
６４Ａ，６４Ｂ       間隙部
６６Ａ，６６Ｂ       支持部
６８Ａ，６８Ｂ       開口部
７２   フォーカスコイル
７４   フォーカスコイル
７６   フォーカスコイル
７８   フォーカスコイル
８０   トラッキングコイル
８２   トラッキングコイル
８４   バックヨーク
８６   バックヨーク
８８   マグネット
９０   マグネット
９２   レンズ部
９４   フランジ部
９６   レンズ部
９８   フランジ部
【図１】
2014089788.tif 000003
【図２】
2014089788.tif 000004
【図３】
2014089788.tif 000005
【図４】
2014089788.tif 000006
【図５】
2014089788.tif 000007
【図６】
2014089788.tif 000008